(57)【要約】いくつかの例示的な実施形態において、第１のシステムによりサービスを受けている間及びプロトコルデータユニットセッション確立または変更手順中に、ユーザ機器にて、アクセスポイント名総合最大ビットレート値を含むデフォルトのサービス品質ルールが含まれるメッセージを受信することと、第１のシステムから第２のシステムへのシステム間変更がある場合、ユーザ機器にて、第２のシステムのセッション管理コンテキストのアクセスポイント名総合最大ビットレート値を、第１のシステムによりサービスを受けている間に受信した、受信したアクセスポイント名総合最大ビットレート値に設定することと、を含む方法が提供され得る。関連システム、方法、及び製品も説明される。【選択図】図２
2021512559.tif 000002
【特許請求の範囲】
【請求項１】
第１のシステムによりサービスを受けている間及びプロトコルデータユニットセッション確立または変更手順中に、ユーザ機器にて、アクセスポイント名総合最大ビットレート値を含むデフォルトのサービス品質ルールが含まれるメッセージを受信することと、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定することと、を含む方法。
【請求項２】
前記第１のシステムは、第５世代コアネットワークを含み、前記第２のシステムは、第４世代進化型パケットシステムを含み、前記システム間変更は、Ｎ１インターフェースからＳ１インターフェースへの変更を含み、前記アクセスポイント名総合最大ビットレート値は、前記システム間変更の間、セッションの継続性を維持する、請求項１に記載の方法。
【請求項３】
前記アクセスポイント名総合最大ビットレート値を含む前記メッセージは、前記第１のシステム内のノードから受信される、請求項１〜２のいずれかに記載の方法。
【請求項４】
前記ノードは、パケットデータネットワークゲートウェイ制御プレーン機能、セッション管理機能、及び／または前記セッション管理機能と同じ場所に配置されたパケットデータネットワークゲートウェイ制御プレーン機能を備える、請求項３に記載の方法。
【請求項５】
前記ユーザ機器にて、前記第１のシステムに対応付けられたセッションコンテキスト管理の前記アクセスポイント名総合最大ビットレート値を含む前記受信されたデフォルトのサービス品質ルールを記憶すること、をさらに含む、請求項１〜４のいずれかに記載の方法。
【請求項６】
少なくとも１つのプロセッサと、
コンピュータプログラムコードを含む少なくとも１つのメモリと、を備える装置であって、前記少なくとも１つのメモリ及び前記コンピュータプログラムコードは、前記少なくとも１つのプロセッサにより、前記装置に少なくとも、
第１のシステムによりサービスを受けている間及びプロトコルデータユニットセッション確立または変更手順中に、アクセスポイント名総合最大ビットレート値を含むデフォルトのサービス品質ルールが含まれるメッセージを受信することと、
前記第１のシステムから第２のシステムへのシステム間変更がある場合、前記第２のシステムのセッション管理コンテキストのアクセスポイント名総合最大ビットレート値を、前記第１のシステムによりサービスを受けている間に受信した前記受信したアクセスポイント名総合最大ビットレート値に設定することと、を実行させるように構成される、前記装置。
【請求項７】
前記第１のシステムは、第５世代コアネットワークを含み、前記第２のシステムは、第４世代進化型パケットシステムを含み、前記システム間変更は、Ｎ１インターフェースからＳ１インターフェースへの変更を含み、前記アクセスポイント名総合最大ビットレート値は、前記システム間変更の間、セッションの継続性を維持する、請求項６に記載の装置。
【請求項８】
前記アクセスポイント名総合最大ビットレート値を含む前記メッセージは、前記第１のシステム内のノードから受信される、請求項６〜７のいずれかに記載の装置。
【請求項９】
前記ノードは、パケットデータネットワークゲートウェイ制御プレーン機能、セッション管理機能、及び／または前記セッション管理機能と同じ場所に配置されたパケットデータネットワークゲートウェイ制御プレーン機能を備える、請求項８に記載の装置。
【請求項１０】
前記装置はさらに、少なくとも、
前記第１のシステムに対応付けられたセッションコンテキスト管理の前記アクセスポイント名総合最大ビットレート値を含む前記受信されたデフォルトのサービス品質ルールを記憶する
ように引き起こされる、請求項６〜９のいずれかに記載の装置。
【請求項１１】
前記装置は、ユーザ機器を含む、またはユーザ機器に含まれる、請求項６〜１０に記載の装置。
【請求項１２】
第１のシステムによりサービスを受けている間及びプロトコルデータユニットセッション確立または変更手順中に、ユーザ機器にて、アクセスポイント名総合最大ビットレート値を含むデフォルトのサービス品質ルールが含まれるメッセージを受信するための手段と、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定するための手段と、を備える装置。
【請求項１３】
請求項２〜５のいずれかを実行するための手段をさらに備える、請求項１２に記載の装置。
【請求項１４】
プログラムコードを含む非一時的コンピュータ可読記憶媒体であって、前記プログラムコードは、少なくとも１つのプロセッサにより実行されると、
第１のシステムによりサービスを受けている間及びプロトコルデータユニットセッション確立または変更手順中に、ユーザ機器にて、アクセスポイント名総合最大ビットレート値を含むデフォルトのサービス品質ルールが含まれるメッセージを受信することと、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定することと、を含む動作を引き起こす、前記非一時的コンピュータ可読記憶媒体。
【請求項１５】
ネットワークのネットワークノードにより、別のネットワークに対応付けられたアクセスポイント名総合最大ビットレート値を含むデフォルトのサービス品質ルールを特定することと、
前記ネットワークノードにより、プロトコルデータユニットセッション確立または変更手順中に、ユーザ機器に対し、前記別のネットワークの前記アクセスポイント名総合最大ビットレート値を含む前記デフォルトのサービス品質ルールが含まれるメッセージを、送信することと、を含む方法。
【請求項１６】
前記ネットワークは、第５世代コアネットワークを含み、前記別のネットワークは、第４世代進化型パケットシステムを含む、請求項１５に記載の方法。
【請求項１７】
前記ネットワークノードは、パケットデータネットワークゲートウェイ制御プレーン機能、セッション管理機能、及び／または前記セッション管理機能と同じ場所に配置されたパケットデータネットワークゲートウェイ制御プレーン機能を備える、請求項１５〜１６のいずれかに記載の方法。
【請求項１８】
前記別のネットワークに対応付けられた前記アクセスポイント名総合最大ビットレート値を含む前記デフォルトのサービス品質ルールは、前記第１のネットワークのサービス品質パラメータ及び／またはセッション総合最大ビットレートに基づいて、特定される、請求項１６〜１７のいずれかに記載の方法。
【請求項１９】
少なくとも１つのプロセッサと、
コンピュータプログラムコードを含む少なくとも１つのメモリと、を備える装置であって、前記少なくとも１つのメモリ及び前記コンピュータプログラムコードは、前記少なくとも１つのプロセッサにより、前記装置に少なくとも、
別のネットワークに対応付けられたアクセスポイント名総合最大ビットレート値を含むデフォルトのサービス品質ルールを特定することと、
プロトコルデータユニットセッション確立または変更手順中に、ユーザ機器に対し、前記別のネットワークの前記アクセスポイント名総合最大ビットレート値を含む前記デフォルトのサービス品質ルールが含まれるメッセージを、送信することと、を実行させるように構成される、前記装置。
【請求項２０】
前記装置は、第５世代コアネットワークを含むネットワーク内に存在し、前記別のネットワークは、第４世代進化型パケットシステムを含む、請求項１９に記載の装置。
【請求項２１】
前記装置は、パケットデータネットワークゲートウェイ制御プレーン機能、セッション管理機能、及び／または前記セッション管理機能と同じ場所に配置されたパケットデータネットワークゲートウェイ制御プレーン機能を含む、あるいはパケットデータネットワークゲートウェイ制御プレーン機能、セッション管理機能、及び／または前記セッション管理機能と同じ場所に配置されたパケットデータネットワークゲートウェイ制御プレーン機能に含まれる、請求項１９〜２０のいずれかに記載の装置。
【請求項２２】
前記別のネットワークに対応付けられた前記アクセスポイント名総合最大ビットレート値を含む前記デフォルトのサービス品質ルールは、前記第１のネットワークのサービス品質パラメータ及び／またはセッション総合最大ビットレートに基づいて、特定される、請求項１９〜２１のいずれかに記載の装置。
【請求項２３】
別のネットワークに対応付けられたアクセスポイント名総合最大ビットレート値を含むデフォルトのサービス品質ルールを特定するための手段と、
プロトコルデータユニットセッション確立または変更手順中に、ユーザ機器に対し、前記別のネットワークの前記アクセスポイント名総合最大ビットレート値を含む前記デフォルトのサービス品質ルールが含まれるメッセージを、送信するための手段と、を備える装置。
【請求項２４】
請求項１６〜１８のいずれかを実行するための手段をさらに備える、請求項２３に記載の装置。
【請求項２５】
プログラムコードを含む非一時的コンピュータ可読記憶媒体であって、前記プログラムコードは、少なくとも１つのプロセッサにより実行されると、
ネットワークのネットワークノードにより、別のネットワークに対応付けられたアクセスポイント名総合最大ビットレート値を含むデフォルトのサービス品質ルールを特定することと、
前記ネットワークノードにより、プロトコルデータユニットセッション確立または変更手順中に、ユーザ機器に対し、前記別のネットワークの前記アクセスポイント名総合最大ビットレート値を含む前記デフォルトのサービス品質ルールが含まれるメッセージを、送信することと、を含む動作を引き起こす、前記非一時的コンピュータ可読記憶媒体。
【発明の詳細な説明】
【技術分野】
【０００１】
本明細書で説明される主題は、５Ｇと４Ｇとの間のインターワーキングに関する。
【背景技術】
【０００２】
５Ｇのネットワークを含むセルラーシステムは、ますます多くのデバイス及びサービスをサポートし、デバイス及びサービスには、幅広い使用事例と、帯域幅、レイテンシ、及び信頼性の要件に関する様々なニーズとを有するアプリケーションが含まれることから、セルラーシステムは、様々なサービスデータフロー（ＳＤＦ）間の差別化をサポートするように、無線アクセスネットワーク及びコアネットワーク全体でリソースに優先順位を付ける（及び／または例えば制御プレーン及びユーザプレーン全体で優先順位を付ける）必要があり得る。さらに、関連するサービス品質（ＱｏＳ）要件を動的にする必要があり得る。
【発明の概要】
【０００３】
いくつかの例示的な実施形態では、方法が提供され得、方法は、第１のシステムによりサービスを受けている間及びプロトコルデータユニットセッション確立または変更手順中に、ユーザ機器にて、アクセスポイント名総合最大ビットレート値を含むデフォルトのサービス品質ルールが含まれるメッセージを受信することと、第１のシステムから第２のシステムへのシステム間変更がある場合、ユーザ機器にて、第２のシステムのセッション管理コンテキストのアクセスポイント名総合最大ビットレート値を、第１のシステムによりサービスを受けている間に受信した、受信したアクセスポイント名総合最大ビットレート値に設定することと、を含む。
【０００４】
いくつかの変形形態には、以下の特徴を含む本明細書に開示される特徴のうちの１つ以上が、いずれかの実現可能な組み合わせで、任意で含まれ得る。第１のシステムは、第５世代コアネットワークを含み得、第２のシステムは、第４世代進化型パケットシステムを含み得、システム間変更は、Ｎ１インターフェースからＳ１インターフェースへの変更を含み、アクセスポイント名総合最大ビットレート値は、システム間変更の間、セッションの継続性を維持する。アクセスポイント名総合最大ビットレート値を含むメッセージは、第１のシステム内のノードから受信され得る。ノードは、パケットデータネットワークゲートウェイ制御プレーン機能、セッション管理機能、及び／またはセッション管理機能と同じ場所に配置されたパケットデータネットワークゲートウェイ制御プレーン機能を備え得る。ユーザ機器は、第１のシステムに対応付けられたセッションコンテキスト管理のアクセスポイント名総合最大ビットレート値を含む受信されたデフォルトのサービス品質ルールを記憶し得る。
【０００５】
いくつかの例示的な実施形態では、方法が提供され得、方法は、ネットワークのネットワークノードにより、別のネットワークに対応付けられたアクセスポイント名総合最大ビットレート値を含むデフォルトのサービス品質ルールを特定することと、ネットワークノードにより、プロトコルデータユニットセッション確立または変更手順中に、ユーザ機器に対し、別のネットワークのアクセスポイント名総合最大ビットレート値を含むデフォルトのサービス品質ルールが含まれるメッセージを、送信することと、を含む。
【０００６】
いくつかの変形形態には、以下の特徴を含む本明細書に開示される特徴のうちの１つ以上が、いずれかの実現可能な組み合わせで、任意で含まれ得る。ネットワークは、第５世代コアネットワークを含み得、別のネットワークは、第４世代進化型パケットシステムを含み得る。ネットワークノードは、パケットデータネットワークゲートウェイ制御プレーン機能、セッション管理機能、及び／またはセッション管理機能と同じ場所に配置されたパケットデータネットワークゲートウェイ制御プレーン機能を備え得る。別のネットワークに対応付けられたアクセスポイント名総合最大ビットレート値を含むデフォルトのサービス品質ルールは、第１のネットワークのサービス品質パラメータ及び／またはセッション総合最大ビットレートに基づいて、特定され得る。
【０００７】
上記の態様及び特徴は、所望の構成に応じて、システム、装置、方法、及び／または製品で実施され得る。本明細書に記載される主題の１つ以上の変形形態の詳細は、添付の図面及び下記の説明で示される。本明細書に記載される主題の特徴及び利点は、説明及び図面から、並びに特許請求の範囲から、明らかとなるであろう。
【図面の簡単な説明】
【０００８】
【図１】いくつかの例示的な実施形態による、５Ｇシステムとインターワーキングする４Ｇシステムの一部の例を示す。
【図２】いくつかの例示的な実施形態による、５Ｇから４Ｇへのインターワーキングのためのプロセスの例を示す。
【図３】いくつかの例示的な実施形態による、５Ｇから４Ｇへのインターワーキングのためのプロセスの別の例を示す。
【図４】いくつかの例示的な実施形態による、ネットワークノードの例を示す。
【図５】いくつかの例示的な実施形態による、装置の例を示す。
【０００９】
同様のラベルは、図面中の同一または類似のアイテムを指すために使用される。
【発明を実装するための形態】
【００１０】
進化型パケットシステム（ＥＰＳ）から５Ｇシステム（５ＧＳ）へのＵＥモビリティのために、４Ｇ  ＥＰＳは、３ＧＰＰ  ＴＳ  ２３．５０２に準拠して、セッション総合最大ビットレート（ＡＭＢＲ）を含む、５ＧＳ固有のプロトコルデータユニット（ＰＤＵ）セッションに関連する１つ以上のパラメータを、ＵＥに提供し得る。例えば、ＵＥが、パケットデータネットワーク（ＰＤＮ）接続確立中に、進化型パケットコア（ＥＰＣ）のサービスを受ける場合、ＵＥは、プロトコルデータユニット（ＰＤＵ）セッションＩＤを割り当て得、ＵＥは、プロトコル構成オプション（ＰＣＯ）メッセージを介して、ＰＤＵセッションＩＤを、セッション管理機能と同じ場所に配置されたＰＤＮゲートウェイ制御プレーン機能（ＳＭＦ＋ＰＧＷ−Ｃ）に送信し得る。さらに、ＳＭＦ＋ＰＧＷ−Ｃは、セッションＡＭＢＲ、及び／またはＱｏＳルールなどのＰＤＮ接続に関連する他の５Ｇ  ＱｏＳパラメータを割り当て得る。さらに、ＳＭＦ＋ＰＧＷ−Ｃは、ＰＣＯメッセージを介して、これらのパラメータ及び他のパラメータをＵＥに送信し得る。
【００１１】
セッションＡＭＢＲは、ＵＥにより例えば３ＧＰＰ  ＴＳ  ２４．５０１に準拠して使用され得る。ＵＥの４Ｇ  Ｓ１インターフェースモードからＵＥの５Ｇ  Ｎ１インターフェースモードへのシステム間変更の際、ＵＥは、ＰＤＵセッションコンテキストのセッションＡＭＢＲを、ネットワークによりプロトコル構成オプション情報要素（ＩＥ）または拡張プロトコル構成オプション情報要素（例えばＡＣＴＩＶＡＴＥ  ＤＥＦＡＵＬＴ  ＥＰＳ  ＢＥＡＲＥＲ  ＲＥＱＵＥＳＴメッセージ）に含まれるセッションＡＭＢＲに設定し得る。この手法により、ＵＥは、４Ｇ  ＥＰＳから５ＧＳへの移動中に、ＰＤＵセッションのセッションＡＭＢＲを適切に設定し得る。逆に、ＵＥが５ＧＳから４Ｇ  ＥＰＳに移動する場合、ＰＤＮ接続のアクセスポイント名総合最大ビットレート（ＡＰＮ−ＡＭＢＲ）を設定する必要がある。
【００１２】
いくつかの例示的な実施形態では、ＰＤＵセッション確立（または変更）手順は、ＳＭＦ＋ＰＧＷ−Ｃが少なくとも１つのアクセスポイント名総合最大ビットレート（ＡＰＮ−ＡＭＢＲ）パラメータをＵＥに提供することを、引き起こし得る。さらに、いくつかの例示的な実施形態によれば、ＳＭＦ＋ＰＧＷ−Ｃは、訪問セッション管理機能（Ｖ−ＳＭＦ）にＡＰＮ−ＡＭＢＲを送信し得る。ＵＥは、５ＧＳから４Ｇ  ＥＰＳへの移動中、前に提供されたＡＰＮ−ＡＭＢＲを使用して、ＥＰＳ内のＰＤＮ接続のＡＰＮ−ＡＭＢＲを設定し得る。
【００１３】
さらに解説すると、アクセスポイント名（ＡＰＮ）は、公衆陸上モバイルネットワークと、インターネットなどのパケットデータネットワークとの間のゲートウェイノードの名前を指す。例えばＵＥが対応するＡＰＮにアクセスすると、そのＡＰＮアクセスは、ＡＰＮ−ＡＭＢＲに対応付けられている。４Ｇでは、ＡＰＮ−ＡＭＢＲは、そのＡＰＮにおけるベアラ、セッション、及び／またはＰＤＮ接続全体で、総合ビットレートを制限し得る。例えば４Ｇダウンリンクでは、パケットゲートウェイ（Ｐ−ＧＷ）がＡＰＮ−ＡＭＢＲ実施し得るが、４Ｇアップリンクでは、ＵＥ及び／またはＰ−ＧＷがＡＰＮ−ＡＭＢＲを実施し得る。
【００１４】
図１は、いくつかの例示的な実施形態による、５Ｇと４Ｇとの間のインターワーキング機能（ＩＷＦ）のための例示的なシステム１００を示す。
【００１５】
システム１００は、ユーザ機器（ＵＥ）１５０Ａ〜Ｂと、進化型ユニバーサル移動体通信システム（ＵＭＴＳ）地上無線アクセスネットワーク（Ｅ−ＵＴＲＡＮ）１５２などの４Ｇ無線アクセスネットワークと、モビリティ管理エンティティ（ＭＭＥ）１５４と、サービングゲートウェイ（ＳＧＷ）１５６と、５Ｇ無線アクセスネットワーク（次世代無線アクセスネットワークＮＧ−ＲＡＮと表示される）１６０と、アクセス管理機能（ＡＭＦ）１６２とを含み得る。
【００１６】
システム１００はまた、統一データ管理機能と同じ場所に配置されたホーム加入者サーバ（ＨＳＳ＋ＵＤＭ）を含む第１のノード１７０と、ポリシー及び課金ルール機能と同じ場所に配置されたポリシー制御機能（ＰＣＦ＋ＰＣＲＦ）を含む第２のノード１７２と、パケットデータネットワークゲートウェイ制御プレーン機能と同じ場所に配置されたセッション管理機能（ＳＭＦ＋ＰＧＷ−Ｃ）を含む第３のノード１７６と、パケットデータネットワークゲートウェイユーザプレーン機能と同じ場所に配置されたユーザプレーン機能（ＵＰＦ＋ＰＧＷ−Ｕ）を含む第４のノード１７８とを含み得る。図１はまた、Ｓ１−ＭＭＥ、Ｓ１１、Ｎ２６、Ｎ１、及び／またはＮ２などのサービスインターフェースを示す。
【００１７】
ノード（１５０〜１７８）及びサービスインターフェースを含むアーキテクチャは、３ＧＰＰ  ＴＳ２３．５０１、ＴＳ２３．５０２などの規格、及び／または他の規格に従って定義され得るが、独自仕様のインターフェースが使用されてもよい。さらに、図１は、非ローミングアーキテクチャを示すが、ホームルーテッドローミングアーキテクチャ、及び／または、ホーム公衆陸上モバイルネットワークと訪問公衆陸上モバイルネットワークとを含むローミングアーキテクチャが使用されてもよい。
【００１８】
ＰＤＵセッション確立（または変更）要求が開始された後、ＳＭＦ＋ＰＧＷ−Ｃ１７６は、ＵＥ１５０Ａに、ＡＰＮ−ＡＭＢＲパラメータなどの４Ｇパラメータを提供し得る。これにより、ＵＥは、５Ｇシステムから４Ｇシステムへ移動した後にＡＰＮにより識別されるアクセスポイントへの総合最大ビットレートを制御するために必要なＡＰＮ−ＡＭＢＲを有するようになり、５ＧＳと４Ｇとの間のインターワーキングが可能となる。
【００１９】
図２は、いくつかの例示的な実施形態による、５Ｇから４Ｇへのインターワーキングモビリティのためのプロセス２００の例を示す。
【００２０】
いくつかの例示的な実施形態に従って、２０２にて、ＵＥ１５０Ａは、５Ｇ無線アクセスネットワーク１６０に接続されている間に、ＡＰＮ  ＡＭＢＲなどの４Ｇセッションパラメータを受信し得る。例えば、ＵＥは、プロトコルデータユニットセッション確立または変更手順中に、５Ｇネットワークなどのネットワークから、アクセスポイント名総合最大ビットレート値を有するデフォルトのサービス品質ルールが含まれる第１のメッセージを受信し得る。さらに解説すると、ＰＤＵセッション要求メッセージなどのセッション確立要求がＵＥからＡＭＦ１６２へ送信された後、これに起因して、ＳＭＦ＋ＰＧＷ−Ｃ１７６（３ＧＰＰ  ＴＳ２３．５０２に準拠してＳＭＦ選択の一環としてＡＭＦにより選択され得る）は、ＵＥ１５０ＡにＡＰＮ  ＡＭＢＲを送信し得る。このＡＰＮ  ＡＭＢＲは、Ｎ１１を介して、Ｎｓｍｆ＿ＰＤＵＳｅｓｓｉｏｎ＿ＣｒｅａｔｅＳＭＣｏｎｔｅｘｔ  Ｒｅｓｐｏｎｓｅメッセージにより、ＡＭＦへ伝達され、ＡＭＦは、ＡＰＮ  ＡＭＢＲ並びに他のＱｏＳ及び関連情報を、Ｎ１インターフェースを介して、ＵＥ１５０Ａへ転送し得る。代替的または付加的に、ネットワークまたはＵＥが要求したセッション変更要求も、ＳＭＦ＋ＰＧＷ−Ｃ１７６がＡＰＮ  ＡＭＢＲをＵＥに送信することを引き起こし得る。セッション確立または変更要求は、ローミングモード中、非ローミングモード中、またはホームルーテッドローミングモード中であり得る。
【００２１】
２０４にて、ＵＥ１５０Ａは、受信したＡＰＮ  ＡＭＢＲを、他のＱｏＳ情報及びセッション情報と共に記憶し得る。ＵＥ１５０Ａは、ＥＰＳベアラＩＤ（ＥＢＩ）に対応するＱｏＳフローと、ＥＰＳ  ＱｏＳパラメータ及びＡＰＮ−ＡＭＢＲマッピングとの対応付けを記憶し得る。
【００２２】
１５０Ｂで示されるように、ＵＥ１５０Ａが５Ｇ無線アクセスノード１６０から４Ｇ無線アクセスノード１５２に移動すると、これは、５Ｇと４Ｇとの間のインターワーキングの一環として、２０６にて、ＵＥ１５０Ｂが、ＵＥからのパケットデータネットワーク（ＰＤＮ）接続のＡＰＮ  ＡＭＢＲを、対応するＰＤＮに設定することを引き起こし得る。例えば、ＵＥは、ＰＤＵセッションコンテキストにおいてデフォルトのＱｏＳルールのパラメータで受信したＡＰＮ−ＡＭＢＲ（５Ｇコアに接続されている間に２０２にて受信したＡＰＮ−ＡＭＢＲ）を使用して、デフォルトのＥＰＳベアラコンテキストのＡＰＮ  ＡＭＢＲを設定し得る。このようにして、ハンドオーバー中に、サービス、セッション、またはネットワークスライス（例えばＵＥのアプリケーション）のセッション継続性を維持するために、セッションコンテキストは変換される。設定されると、ＵＥは、ＡＰＮ  ＡＭＢＲ設定に基づいて、４Ｇ接続をポリシングし得る。
【００２３】
ＰＤＵセッション確立中（あるいはＰＤＵセッション変更中及び／または保証ビットレート（ＧＢＲ）ＱｏＳフロー確立中）にＮＧ−ＲＡＮ１６０を含む５ＧＳのサービスをＵＥ１５０Ａが受ける場合、ＳＭＦ＋ＰＧＷ−Ｃ１７６は、ＥＰＳ  ＱｏＳ及びＡＰＮ−ＡＭＢＲマッピングを実行し得る。マッピングは、ＰＣＦ＋ＰＣＲＦ１７２から取得した５Ｇ  ＱｏＳパラメータ及びセッションＡＭＢＲ、ＥＰＳ  ＱｏＳ及びＡＰＮ−ＡＭＢＲマッピングに、基づき得る。ＳＭＦ＋ＰＧＷ−Ｃ１７６はまた、ＰＣＦ＋ＰＣＲＦ１７２から取得したＰＣＣルール（展開されている場合）を用いてトラフィックフローテンプレート（ＴＦＴ）を割り当て得る、あるいは、ＥＰＳ  ＱｏＳ及びＡＰＮ−ＡＭＢＲマッピングとＴＦＴ割り当てとが、ＳＭＦ＋ＰＧＷ−Ｃによりローカルで実行され得る。ＳＭＦ＋ＰＧＷ−Ｃは、ＱｏＳ通知制御など、４Ｇ  ＥＰＣに適用不可能な５Ｇ  ＱｏＳパラメータを、無視し得る。
【００２４】
各ＰＤＵセッションに関して、ＳＭＦ＋ＰＧＷ−Ｃは、ＥＰＳベアラＩＤ（ＥＢＩ）を、デフォルトのＥＰＳベアラ（非ＧＢＲフローがマッピングされている）と、専用ベアラ（ＥＰＣでＧＢＲフローがマッピングされている）とに、割り当て得る。ＵＥはまた、マッピングされたＱｏＳパラメータ及びＡＰＮ−ＡＭＢＲを受信し得る。ＵＥ及びＳＭＦ＋ＰＧＷ−Ｃは、ＱｏＳフローと、対応するＥＢＩと、ＡＰＮ−ＡＭＢＲマッピングを含むＥＰＳ  ＱｏＳパラメータとの対応付けを記憶し得る。
【００２５】
ＳＭＦ＋ＰＧＷ−Ｃ１７６（Ｎａｍｆ＿Ｃｏｍｍｕｎｉｃａｔｉｏｎ＿ＥＢＩＡｓｓｉｇｎｍｅｎｔ  Ｒｅｑｕｅｓｔを呼び出す）がＡＭＦから任意のＥＢＩ（複数可）を受信すると、ＳＭＦ＋ＰＧＷ−Ｃは、受信したＥＢＩ（複数可）を、Ｎ１  ＳＭコンテナでＵＥに送信されるマッピングされたＥＰＳ  ＱｏＳパラメータ及びＡＰＮ−ＡＭＢＲに、含め得る（ＥＰＳベアラがデフォルトのＥＰＳベアラである場合）。ＳＭＦ＋ＰＧＷ−Ｃはまた、受信したＥＢＩ（複数可）とＱｏＳフロー（複数可）とのマッピングを含め得る（５Ｇ  ＲＡＮ１６０用のＮ２セッション管理コンテナ内に）。
【００２６】
ホームルーテッドローミングの場合、ＳＭＦ＋ＰＧＷ−Ｃ１７６は、ＰＤＵセッションに対応するＰＧＷ−Ｃ制御プレーントンネル情報及びＰＤＮ接続のＡＰＮ−ＡＭＢＲと（ＰＤＵセッション確立手順の場合）、各ＥＰＳベアラのＥＢＩと、各ＥＰＳベアラのＰＧＷ−Ｕトンネル情報と、各ＥＰＳベアラのＥＰＳ  ＱｏＳパラメータと、を含むＥＰＳベアラコンテキストを生成し得る。ＳＭＦ＋ＰＧＷ−Ｃは次いで、生成した情報を、訪問ＳＭＦに送信し得る。この生成された情報は、Ｎｓｍｆ＿ＰＤＵＳｅｓｓｉｏｎ＿Ｃｒｅａｔｅ  Ｒｅｓｐｏｎｓｅ（例えばＰＤＵセッション確立用）により、またはＮｓｍｆ＿ＰＤＵＳｅｓｓｉｏｎ＿Ｕｐｄａｔｅ  Ｒｅｑｕｅｓｔ（例えばＰＤＵセッション変更用）により、伝達され得る。訪問ＳＭＦは、ＥＰＳベアラコンテキストを記憶し得る。
【００２７】
いくつかの例示的な実施形態では、ＰＤＵ  ＳＥＳＳＩＯＮ  ＭＯＤＩＦＩＣＡＴＩＯＮ  ＣＯＭＭＡＮＤ及びＰＤＵ  ＳＥＳＳＩＯＮ  ＥＳＴＡＢＬＩＳＨＭＥＮＴ  ＡＣＣＥＰＴメッセージは、ＱｏＳルール（またはデフォルトのＱｏＳルール）を含み得、これは、ＡＰＮ−ＡＭＢＲ、並びにＥＰＳベアラ識別、マッピングされたＥＰＳ  ＱｏＳパラメータ、マッピングされた拡張ＥＰＳ  ＱｏＳパラメータ、及びマッピングされたトラフィックフローテンプレート（ＱｏＳフローをＥＰＳベアラにマッピングできる場合）を含み得る。ＡＰＮ−ＡＭＢＲ（並びに他のマッピングされたパラメータ）は、ＰＤＵセッションコンテキストの一部としてＵＥ内に記憶され得、よって別のコンテキスト、セッション、及び／またはスライスなどにマッピングされ得る。
【００２８】
さらに、Ｎ１モードからＳ１モードへのシステム間変更がある場合、ＵＥは、ＥＰＳへのインターワーキングに対応しているＰＤＵセッションコンテキストのデフォルトのＱｏＳルールのＱｏＳフローから、デフォルトのＥＰＳベアラコンテキストを作成し得る。ＵＥは、ＰＤＵセッションコンテキストのＡＰＮ−ＡＭＢＲを使用して、対応するデフォルトのＥＰＳベアラコンテキストのＡＰＮ−ＡＭＢＲを設定し得る。同じデータネットワーク名のネットワーク（単一のＡＰＮにマッピングされる）から複数のＡＰＮ−ＡＭＢＲが受信された場合、ＵＥは、最新のＡＰＮ−ＡＭＢＲを使用し得る。
【００２９】
ホームルーテッドローミングシナリオの場合、ＰＤＵ  ＳＥＳＳＩＯＮ  ＭＯＤＩＦＩＣＡＴＩＯＮ  ＣＯＭＭＡＮＤ及びＰＤＵ  ＳＥＳＳＩＯＮ  ＥＳＴＡＢＬＩＳＨＭＥＮＴ  ＡＣＣＥＰＴメッセージは、ＳＭＦ＋ＰＧＷ−ＣによりＵＥへ直接送信されないことがある。この場合、Ｎｓｍｆ＿ＰＤＵＳｅｓｓｉｏｎ＿Ｃｒｅａｔｅサービスの「２０１  Ｃｒｅａｔｅｄ」及びＮｓｍｆ＿ＰＤＵＳｅｓｓｉｏｎ＿ＵｐｄａｔｅサービスのＰＡＴＣＨ要求に、ＡＰＮ−ＡＭＢＲが含まれ得る。
【００３０】
図３は、いくつかの例示的な実施形態による、ネットワークノードにおける例示的なプロセスを示す。
【００３１】
いくつかの例示的な実施形態によれば、３０４にて、ＳＭＦ＋ＰＧＷ−Ｃ１７６は、４Ｇ  ＱｏＳ情報及びＡＰＮ−ＡＭＢＲパラメータを特定し得る。例えば、ＳＭＦ＋ＰＧＷ−Ｃは、ＰＣＦ＋ＰＣＲＦ１７２から取得した５Ｇ  ＱｏＳパラメータ及びセッションＡＭＢＲ、並びにＥＰＳ  ＱｏＳ情報及びＡＰＮ−ＡＭＢＲマッピングに基づいて、実行し得る。
【００３２】
いくつかの例示的な実施形態によれば、３０６にて、ＳＭＦ＋ＰＧＷ−Ｃ１７６は、ＡＰＮ−ＡＭＢＲをＵＥ１５０Ａに送信し得る。ＵＥが５Ｇ無線アクセスネットワーク１６０に接続されている間に、ＳＭＦ＋ＰＧＷ−Ｃ１７６は、ＡＰＮ−ＡＭＢＲを送信し得る。上記のように、セッション確立（または変更）要求の後、これに起因して、ＳＭＦ＋ＰＧＷ−Ｃ１７６（３ＧＰＰ  ＴＳ２３．５０２に準拠してＳＭＦ選択の一環としてＡＭＦにより選択され得る）は、ＵＥ１５０ＡにＡＰＮ  ＡＭＢＲを送信し得る。上記のように、ＡＰＮ  ＡＭＢＲは、Ｎ１１を介して、Ｎｓｍｆ＿ＰＤＵＳｅｓｓｉｏｎ＿ＣｒｅａｔｅＳＭＣｏｎｔｅｘｔ  Ｒｅｓｐｏｎｓｅメッセージにより、ＡＭＦへ伝達され得、ＡＭＦは、ＡＰＮ  ＡＭＢＲ並びに他のＱｏＳ及び関連情報を、Ｎ１インターフェースを介して、ＵＥ１５０Ａへ転送し得る。代替的または付加的に、ネットワークまたはＵＥが要求したセッション変更要求も、ＳＭＦ＋ＰＧＷ−Ｃ１７６がＡＰＮ  ＡＭＢＲをＵＥに送信することを引き起こし得る。セッション確立または変更要求は、ローミングモード中、非ローミングモード中、またはホームルーテッドローミングモード中であり得る。
【００３３】
いくつかの例示的な実施形態によれば、３０８にて、ＳＭＦ＋ＰＧＷ−Ｃ１７６は、削除されたＱｏＳフローに対応付けられたＥＰＳ  ＱｏＳ情報及びＡＰＮ  ＡＭＢＲを削除し得る。ＱｏＳフローが削除されると（例えばＰＤＵセッションステータスの同期化またはＰＤＵセッションの変更により）、ＵＥ及び／またはＳＭＦ＋ＰＧＷ−Ｃは、削除されたＱｏＳフローに対応付けられたＡＰＮ−ＡＭＢＲを含む全ての既存のＥＰＳ  ＱｏＳパラメータを削除し得る。いくつかの例示的な実施形態では、ＳＭＦ＋ＰＧＷ−Ｃ１７６は、ＡＭＦ１６２から、ＥＢＩが無効化されたことの通知を受信し得る。例えばＡＭＦは、高優先度のサービスのＱｏＳフロー（複数可）にＥＰＳベアラ識別（ＥＢＩ）を割り当てるように要求されたが、使用可能なＥＢＩをＡＭＦが有さない場合、ＡＭＦは、１つ以上のＱｏＳフローに割り当てられたＥＢＩを無効化し得る。無効化は、少なくとも１つの割り当て及び保持優先度（ＡＲＰ）、単一ネットワークスライス選択支援情報（Ｓ−ＮＳＳＡＩ）、ＥＢＩ情報（ＵＥコンテキスト内）、及びローカルポリシーに基づき得る。割り当てられたＥＢＩが無効化される場合、ＡＭＦは、無効化するＥＢＩを含むＮｓｍｆ＿ＰＤＵＳｅｓｓｉｏｎ＿Ｕｐｄａｔｅ  ＳＭＣｏｎｔｅｘｔなどのメッセージを送信し得る。このメッセージは、関連するＳＭＦ（例えばＳＭＦ＋ＰＧＷ−Ｃ）に対し、無効化するＥＢＩに対応するマッピングされたＥＰＳ  ＱｏＳパラメータ及びＡＰＮ−ＡＭＢＲ（ＥＰＳベアラがデフォルトのＥＰＳベアラである場合）を解放するよう要求するために、送信され得る。ＡＭＦは、割り当てられたＥＢＩ−ＡＲＰペアと、対応するＰＤＵセッションＩＤ及びＳＭＦアドレスとの対応付けを、記憶し得る。これに応じて、解放リソースを提供するＳＭＦとして機能するＳＭＦ＋ＰＧＷ−Ｃなどの関連するＳＭＦは、ＰＤＵセッションＩＤ及び無効化するＥＢＩ（複数可）と共に、セッション管理情報を含むＮｓｍｆ＿Ｃｏｍｍｕｎｉｃａｔｉｏｎ＿Ｎ１Ｎ２Ｍｅｓｓａｇｅ  Ｔｒａｎｓｆｅｒを、ＡＭＦへ送信し得る（Ｎ１１インターフェースを介して）。この情報は、無効化されるＮ２及び／またはＮ１セッション管理（ＳＭ）コンテナで伝達され得る。このメッセージは、アクセスネットワーク及び最終的にはＵＥに対し、無効化するＥＢＩ（複数可）に対応するマッピングされたＥＰＳ  ＱｏＳパラメータ及びＡＰＮ−ＡＭＢＲ（ＥＰＳベアラがデフォルトのＥＰＳベアラである場合）を削除するように、通知し得る。ＵＥに通知するために、Ｎｓｍｆ＿Ｃｏｍｍｕｎｉｃａｔｉｏｎ＿Ｎ１Ｎ２Ｍｅｓｓａｇｅには、削除対象であるマッピングされたＥＰＳ  ＱｏＳパラメータ及びＡＰＮ−ＡＭＢＲを含むＮ１  ＳＭコンテナが含まれ得る。
【００３４】
図４は、いくつかの例示的な実施形態による、ネットワークノード４００のブロック図を示す。ネットワークノード４００は、ＡＭＦ１６２、ＳＭＦ＋ＰＧＷ−Ｃ１７６、及び／または図１に描かれるような他のノードなどのネットワークノードを提供するように構成され得る。
【００３５】
ネットワークノード４００は、ネットワークインターフェース４０２と、プロセッサ４２０と、メモリ４０４と、インターワーキング機能４５０とを含み得、インターワーキング機能４５０は、ネットワークノードに関して本明細書で開示される１つ以上の動作（例えばプロセス３００など）を提供するように構成される。ネットワークインターフェース４０２は、有線及び／または無線の送受信器を含み得、これにより、他のノード、及び／またインターネットへのアクセスが可能となる。メモリ４０４は、プログラムコードを含む揮発性及び／または不揮発性のメモリを備え得、プログラムコードは、少なくとも１つのプロセッサ４２０により実行されると、とりわけ、プロセス３００などを含む本明細書に開示されるプロセスを提供する。例えば、ネットワークノードは、少なくとも、別のネットワークに対応付けられたアクセスポイント名総合最大ビットレート値を含むデフォルトのサービス品質ルールを特定し、プロトコルデータユニットセッション確立または変更手順中に、ユーザ機器に対し、別のネットワークのアクセスポイント名総合最大ビットレート値を含むデフォルトのサービス品質ルールが含まれるメッセージを、送信するように、構成され得る。
【００３６】
図５は、いくつかの例示的な実施形態による、装置１０のブロック図を示す。
【００３７】
装置１０は、ユーザ機器１５０などのユーザ機器を表し得る。
【００３８】
装置１０は、送信器１４及び受信器１６と通信する少なくとも１つのアンテナ１２を含み得る。あるいは、送信アンテナと受信アンテナは、別個であり得る。装置１０はまた、送信器に信号を提供し、受信器から信号を受信するように、及び装置の機能を制御するように構成されたプロセッサ２０を含み得る。プロセッサ２０は、導線を介して送信器及び受信器に制御信号伝達を実行することにより、送信器及び受信器の機能を制御するように構成され得る。同様に、プロセッサ２０は、プロセッサ２０をディスプレイまたはメモリなどの装置１０の他の要素に接続する導線を介して、制御信号伝達を実行することにより、装置１０の他の要素を制御するように構成され得る。プロセッサ２０は、例えば、様々な方法で具現化され得、これには、回路、少なくとも１つの処理コア、付随デジタル信号プロセッサ（複数可）を有する１つ以上のマイクロプロセッサ、付随デジタル信号プロセッサを有さない１つ以上のプロセッサ（複数可）、１つ以上のコプロセッサ、１つ以上のマルチコアプロセッサ、１つ以上のコントローラ、処理回路、１つ以上のコンピュータ、集積回路（例えば特定用途向け集積回路（ＡＳＩＣ）及び／またはフィールドプログラマブルゲートアレイ（ＦＰＧＡ）など）を含む様々な他の処理要素、またはこれらのある組み合わせが、含まれる。従って、プロセッサ２０は、図５には単一のプロセッサとして例示されるが、いくつかの例示的な実施形態では、複数のプロセッサまたは処理コアを含み得る。
【００３９】
装置１０は、１つ以上のエアインターフェース規格、通信プロトコル、変調形式、及び／またはアクセスタイプなどで、作動可能であり得る。プロセッサ２０により送受信される信号は、適用可能なセルラーシステムのエアインターフェース規格に従った信号情報、並びに／あるいは、米国電気電子学会（ＩＥＥＥ）８０２．１１、８０２．１６、８０２．３、ＡＤＳＬ、及び／またはＤＯＣＳＩＳなどのＷｉ−Ｆｉ、無線ローカルアクセスネットワーク（ＷＬＡＮ）技術を含むがこれらに限定されない任意の数の異なる有線または無線ネットワーク技術に従った信号情報を、含み得る。さらに、これらの信号は、音声データ、ユーザ生成データ、及び／またはユーザ要求データなどを含み得る。
【００４０】
例えば、装置１０及び／またはその中のセルラーモデムは、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、第５世代（５Ｇ）通信プロトコル、及び／またはインターネットプロトコルマルチメディアサブシステム（ＩＭＳ）通信プロトコル（例えばセッション開始プロトコル（ＳＩＰ））などに従って、作動可能であり得る。例えば、装置１０は、２Ｇ無線通信プロトコルＩＳ−１３６、時分割多元接続ＴＤＭＡ、汎欧州デジタル移動電話方式ＧＳＭ、ＩＳ−９５、及び／または符号分割多元接続ＣＤＭＡなどに従って、作動可能であり得る。さらに、例えば、装置１０は、２．５Ｇ無線通信プロトコル汎用パケット無線サービス（ＧＰＲＳ）、及び／または拡張データＧＳＭ環境（ＥＤＧＥ）などに従って、作動可能であり得る。さらに、例えば、装置１０は、ユニバーサル移動体通信システム（ＵＭＴＳ）、符号分割多元接続２０００（ＣＤＭＡ２０００）、広帯域符号分割多元接続（ＷＣＤＭＡ）、及び／または時分割同期符号分割多元接続（ＴＤ−ＳＣＤＭＡ）などの３Ｇ無線通信プロトコルに従って、作動可能であり得る。装置１０はさらに、ロングタームエボリューション（ＬＴＥ）、及び／または進化型ユニバーサル地上無線アクセスネットワーク（Ｅ−ＵＴＲＡＮ）などの３．９Ｇ無線通信プロトコルに従って、作動可能であり得る。さらに、例えば、装置１０は、ＬＴＥ  Ａｄｖａｎｃｅｄなどの４Ｇ無線通信プロトコル、及び／または５Ｇなど、並びに続いて開発され得る同様の無線通信プロトコルに従って、作動可能であり得る。
【００４１】
プロセッサ２０が、装置１０の音声／映像及び論理機能を実施する回路を含み得ることは、理解されよう。例えば、プロセッサ２０は、デジタル信号プロセッサデバイス、マイクロプロセッサデバイス、アナログ−デジタル変換器、及び／またはデジタル−アナログ変換器などを備え得る。装置１０の制御及び信号処理機能は、これらのデバイスそれぞれの能力に応じて、これらのデバイス間で配分され得る。プロセッサ２０は、さらに、内部音声符号器（ＶＣ）２０ａ、及び／または内部データモデム（ＤＭ）２０ｂなどを備え得る。さらに、プロセッサ２０は、メモリに格納され得る１つ以上のソフトウェアプログラムを作動させる機能を含み得る。通常、プロセッサ２０及び格納されたソフトウェア命令は、装置１０にアクションを実行させるように構成され得る。例えば、プロセッサ２０は、ウェブブラウザなどの接続プログラムを作動させることが可能であり得る。接続プログラムにより、装置１０は、無線アプリケーションプロトコル、ＷＡＰ、ハイパーテキスト転送プロトコル、及び／またはＨＴＴＰなどのプロトコルに従って、位置ベースコンテンツなどのウェブコンテンツを送受信することが可能となり得る。
【００４２】
装置１０はまた、例えばイヤホンもしくはスピーカ２４、リンガー２２、マイクロホン２６、ディスプレイ２８、及び／またはユーザ入力インターフェースなどを含むユーザインターフェースを備え得、これらはプロセッサ２０に操作可能に接続され得る。ディスプレイ２８には、上記のように、接触感知ディスプレイが含まれ得、ユーザはこれに触れて及び／またはジェスチャを行って、選択及び／または値の入力などを実行し得る。プロセッサ２０はまた、スピーカ２４、リンガー２２、マイクロホン２６、及び／またはディスプレイ２８などのユーザインターフェースの１つ以上の要素の少なくともいくつかの機能を制御するように構成されたユーザインターフェース回路を含み得る。プロセッサ２０及び／またはプロセッサ２０を成すユーザインターフェース回路は、例えば揮発性メモリ４０及び／または不揮発性メモリ４２などのプロセッサ２０がアクセス可能なメモリに記憶されたコンピュータプログラム命令、例えばソフトウェア及び／またはファームウェアを介して、ユーザインターフェースの１つ以上の要素の１つ以上の機能を制御するように、構成され得る。装置１０は、モバイル端末に関連する様々な回路、例えば検出可能な出力として機械振動を提供する回路に、電力を供給するバッテリーを含み得る。ユーザ入力インターフェースには、キーパッド３０（ディスプレイ２８上に提示される仮想キーボードまたは外部接続キーボードであり得る）及び／または他の入力デバイスなど、装置１０がデータを受信することを可能にするデバイスが含まれ得る。
【００４３】
図５に示されるように、装置１０はまた、データを共有及び／または取得するための１つ以上の機構を含み得る。例えば、装置１０は、短距離無線周波数（ＲＦ）送受信器及び／または質問器６４を含み得、よってデータは、ＲＦ技術に従って、電子デバイスと共有され、及び／または電子デバイスから取得され得る。装置１０は、赤外線（ＩＲ）送受信器６６、Ｂｌｕｅｔｏｏｔｈ（商標登録）無線技術を使用して作動するＢｌｕｅｔｏｏｔｈ（商標登録）（ＢＴ）送受信器６８、無線ユニバーサルシリアルバス（ＵＳＢ）送受信器７０、Ｂｌｕｅｔｏｏｔｈ（商標登録）低エネルギー送受信器、ＺｉｇＢｅｅ送受信器、ＡＮＴ送受信器、セルラーデバイス間送受信器、無線ローカルエリアリンク送受信器、及び／または任意の他の短距離無線技術など、他の短距離送受信器を含み得る。装置１０及び、特に短距離送受信器は、装置の近く、例えば１０メートル以内などに存在する電子デバイスへデータを送信する及び／または電子デバイスからデータを受信することが可能であり得る。Ｗｉ−Ｆｉまたは無線ローカルエリアネットワークモデムを含む装置１０はまた、ＩＥＥＥ８０２．１１技術、ＩＥＥＥ８０２．１５技術、及び／またはＩＥＥＥ８０２．１６技術などの６ＬｏＷｐａｎ、Ｗｉ−Ｆｉ、Ｗｉ−Ｆｉ低電力、ＷＬＡＮ技術を含む様々な無線ネットワーク技術に従って、電子デバイスへデータを送信する及び／または電子デバイスからデータを受信することが可能であり得る。
【００４４】
装置１０は、加入者識別モジュール（ＳＩＭ）３８、取り外し可能ユーザ識別モジュール（Ｒ−ＵＩＭ）、ｅＵＩＣＣ、及び／またはＵＩＣＣなどのメモリを備え得、これは、モバイル加入者に関連する情報要素を記憶し得る。ＳＩＭに加えて、装置１０は、他の取り外し可能及び／または固定のメモリを含み得る。装置１０は、揮発性メモリ４０及び／または不揮発性メモリ４２を含み得る。例えば、揮発性メモリ４０には、動的及び／または静的ＲＡＭ、並びに／あるいはオンチップまたはオフチップキャッシュメモリなどを含むランダムアクセスメモリ（ＲＡＭ）が含まれ得る。組み込み型及び／または取り外し可能であり得る不揮発性メモリ４２には、例えば、読み取り専用メモリ、フラッシュメモリ、磁気記憶装置、例えばハードディスク、フロッピーディスクドライブ、磁気テープ、光ディスクドライブ及び／または光ディスク媒体、並びに／あるいは不揮発性ランダムアクセスメモリ（ＮＶＲＡＭ）などが、含まれ得る。揮発性メモリ４０のように、不揮発性メモリ４２は、データを一時的に記憶するためのキャッシュ領域を含み得る。揮発性及び／または不揮発性メモリは、少なくとも部分的に、プロセッサ２０に組み込まれ得る。メモリは、１つ以上のソフトウェアプログラム、命令、情報、及び／またはデータなどを記憶し得、装置はこれらを使用して本明細書に開示される動作を実行し得、これらの動作には、プロトコルデータユニットセッション確立または変更手順中に、ネットワークから、アクセスポイント名総合最大ビットレート値を含むデフォルトのサービス品質ルールが含まれる第１のメッセージを、ユーザ機器にて受信することと、ネットワークから別のネットワークへのシステム間ハンドオーバーがある場合、別のネットワークで少なくともアクセスポイント名総合最大ビットレート値を使用してデフォルトのベアラコンテキストを有効化する手順中に、ユーザ機器により、アクセスポイント名総合最大ビットレート値を含む第２のメッセージを、別のネットワークに送信することと、が含まれる。
【００４５】
メモリは、装置１０を一意的に識別することが可能な識別子、例えば国際モバイル機器識別（ＩＭＥＩ）コードなどを、含み得る。例示的な実施形態では、プロセッサ２０は、メモリ４０及び／または４２に記憶されたコンピュータコードを使用して、少なくとも、プロトコルデータユニットセッション確立または変更手順中に、ネットワークから、アクセスポイント名総合最大ビットレート値を含むデフォルトのサービス品質ルールが含まれる第１のメッセージを受信し、ネットワークから別のネットワークへのシステム間ハンドオーバーがある場合、別のネットワークで少なくともアクセスポイント名総合最大ビットレート値を使用してデフォルトのベアラコンテキストを有効化する手順中に、アクセスポイント名総合最大ビットレート値を含む第２のメッセージを、別のネットワークに送信するように、構成され得る。
【００４６】
本明細書に開示される実施形態のうちのいくつかは、ソフトウェア、ハードウェア、アプリケーションロジック、またはソフトウェア、ハードウェア、及びアプリケーションロジックの組み合わせで、実施され得る。ソフトウェア、アプリケーションロジック、及び／またはハードウェアは、例えばメモリ４０、プロセッサ２０、または電子コンポーネントに存在し得る。いくつかの例示的な実施形態では、アプリケーションロジック、ソフトウェア、または命令集合は、従来の様々なコンピュータ可読媒体のうちのいずれかに保持される。この文書の文脈において、「コンピュータ可読媒体」とは、コンピュータまたはデータプロセッサ回路などの命令実行システム、装置、またはデバイスにより使用される、またはこれらに関連して使用される命令を、包含、記憶、通信、伝搬、または移送することができる任意の非一時的媒体であり得、図５に示される例によれば、コンピュータ可読媒体には、コンピュータなどの命令実行システム、装置、またはデバイスにより使用される、またはこれらに関連して使用される命令を包含または記憶することができる任意の媒体であり得る非一時的コンピュータ可読記憶媒体が含まれ得る。
【００４７】
下記の特許請求の範囲、解釈、または適用を決して限定することなく、本明細書に開示される例示的な実施形態のうちの１つ以上の実施形態の技術的効果は、５Ｇと４Ｇとの間のインターワーキングの向上であり得る。
【００４８】
本明細書で説明される主題は、所望の構成に応じて、システム、装置、方法、及び／または製品で具現化され得る。例えば、基地局及びユーザ機器（またはその中の１つ以上のコンポーネント）並びに／あるいは本明細書に説明されるプロセスは、プロセッサ実行プログラムコード、特定用途向け集積回路（ＡＳＩＣ）、デジタル信号プロセッサ（ＤＳＰ）、組み込みプロセッサ、フィールドプログラマブルゲートアレイ（ＦＰＧＡ）、及び／またはこれらの組み合わせのうちの１つ以上を使用して実施され得る。これらの様々な実施態様は、１つ以上のコンピュータプログラムでの実施態様を含み得、１つ以上のコンピュータプログラムは、少なくとも１つのプログラム可能プロセッサを含むプログラム可能システムで実行可能及び／または解釈可能であり、少なくとも１つのプログラムプロセッサは、専用または汎用であり、記憶システム、少なくとも１つの入力デバイス、及び少なくとも１つの出力デバイスに接続され、これらからデータ及び命令を受信し、これらにデータ及び命令を送信し得る。これらのコンピュータプログラム（プログラム、ソフトウェア、ソフトウェアアプリケーション、アプリケーション、コンポーネント、プログラムコード、またはコードとも知られる）は、プログラム可能プロセッサ用の機械命令を含み、高次手続き型言語及び／またはオブジェクト指向プログラミング言語で、並びに／あるいはアセンブリ／機械言語で実装され得る。本明細書で使用される用語「コンピュータ可読媒体」は、機械命令を受信する機械可読媒体を含むプログラム可能プロセッサに機械命令及び／またはデータを提供するために使用される任意のコンピュータプログラム製品、機械可読媒体、コンピュータ可読記憶媒体、装置及び／またはデバイス（例えば磁気ディスク、光ディスク、メモリ、プログラマブルロジックデバイス（ＰＬＤ））を指す。同様に、プロセッサと、プロセッサに接続されたメモリとを含み得るシステムも、本明細書に説明される。メモリは、プロセッサに本明細書に説明される動作のうちの１つ以上を実行させる１つ以上のプログラムを含み得る。
【００４９】
いくつかの変形形態が上記に詳しく説明されたが、他の変更または追加が可能である。特に、本明細書に記載されている特徴及び／または変形形態に加えて、さらなる特徴及び／または変形形態が提供されてもよい。さらに、上記に説明された実施態様は、開示された特徴の様々な組み合わせ及び部分的組み合わせ、並びに／あるいは上記に開示されたいくつかのさらなる特徴の組み合わせ及び部分的組み合わせを、対象とし得る。他の実施形態は、下記の特許請求の範囲に入り得る。
【００５０】
必要に応じて、本明細書で論じられる様々な機能は、異なる順序で、及び／または互いに同時に、実行されてもよい。さらに、必要に応じて、前述の機能のうちの１つ以上は、任意であってもよく、または組み合わされてもよい。実施形態のうちのいくつかの実施形態の様々な態様が、独立請求項に記載されるが、実施形態のうちのいくつかの実施形態の他の態様は、請求項に明示的に記載される組み合わせだけでなく、説明される実施形態及び／または従属請求項の特徴と、独立請求項の特徴との他の組み合わせを含む。本明細書では、上記は例示的な実施形態を説明するが、これらの説明は、限定的な意味でみなされるべきではないことにも、留意されたい。むしろ、添付の特許請求の範囲に定義される実施形態のうちのいくつかの実施形態の範囲から逸脱することなく、いくつかの変形及び修正を行うことができる。他の実施形態は、下記の特許請求の範囲に入り得る。用語「〜に基づいて」は、「少なくとも〜に基づいて」を含む。句「〜など」の使用は、別段の指示がない限り「例えば〜など」を意味する。
【図１】
2021512559.tif 000003
【図２】
2021512559.tif 000004
【図３】
2021512559.tif 000005
【図４】
2021512559.tif 000006
【図５】
2021512559.tif 000007
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
第１のシステムによりサービスを受けている間及びプロトコルデータユニットセッション確立または変更手順中に、ユーザ機器（１０）にて、アクセスポイント名総合最大ビットレート値を含むデフォルトのサービス品質ルールが含まれるメッセージを受信することを含み、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定することを特徴とする、
方法。
【請求項２】
前記第１のシステムは、第５世代コアネットワークを含み、前記第２のシステムは、第４世代進化型パケットシステムを含み、前記システム間変更は、Ｎ１インターフェースからＳ１インターフェースへの変更を含み、前記アクセスポイント名総合最大ビットレート値は、前記システム間変更の間、セッションの継続性を維持する、請求項１に記載の方法。
【請求項３】
前記アクセスポイント名総合最大ビットレート値を含む前記メッセージは、前記第１のシステム内のノード（４００）から受信される、請求項１〜２のいずれかに記載の方法。
【請求項４】
前記ノード（４００）は、パケットデータネットワークゲートウェイ制御プレーン機能（ＰＧＷ−Ｃ）、セッション管理機能（ＳＭＦ）、及び／または前記セッション管理機能と同じ場所に配置されたパケットデータネットワークゲートウェイ制御プレーン機能（１７６）を備える、請求項３に記載の方法。
【請求項５】
前記ユーザ機器にて、前記第１のシステムに対応付けられたセッションコンテキスト管理の前記アクセスポイント名総合最大ビットレート値を含む前記受信されたデフォルトのサービス品質ルールを記憶すること、
をさらに含む、請求項１〜４のいずれかに記載の方法。
【請求項６】
第１のシステムによりサービスを受けている間及びプロトコルデータユニットセッション確立または変更手順中に、ユーザ機器（１０）にて、アクセスポイント名総合最大ビットレート値を含むデフォルトのサービス品質ルールが含まれるメッセージを受信するための手段を含み、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定するための手段を特徴とする、
装置。
【請求項７】
前記第１のシステムは、第５世代コアネットワークを含み、前記第２のシステムは、第４世代進化型パケットシステムを含み、前記システム間変更は、Ｎ１インターフェースからＳ１インターフェースへの変更を含み、前記アクセスポイント名総合最大ビットレート値は、前記システム間変更の間、セッションの継続性を維持する、請求項６に記載の装置。
【請求項８】
前記アクセスポイント名総合最大ビットレート値を含む前記メッセージは、前記第１のシステム内のノード（４００）から受信される、請求項６〜７のいずれかに記載の装置。
【請求項９】
前記ノード（４００）は、パケットデータネットワークゲートウェイ制御プレーン機能（ＰＧＷ−Ｃ）、セッション管理機能（ＳＭＦ）、及び／または前記セッション管理機能と同じ場所に配置されたパケットデータネットワークゲートウェイ制御プレーン機能（１７６）を備える、請求項８に記載の装置。
【請求項１０】
前記装置はさらに、
前記第１のシステムに対応付けられたセッションコンテキスト管理の前記アクセスポイント名総合最大ビットレート値を含む前記受信されたデフォルトのサービス品質ルールを、少なくとも記憶するための手段
を備える、請求項６〜９のいずれかに記載の装置。
【請求項１１】
前記装置は、ユーザ機器（１０）を含む、またはユーザ機器（１０）に含まれる、請求項６〜１０に記載の装置。
【請求項１２】
プログラムコードを含む非一時的コンピュータ可読記憶媒体であって、前記プログラムコードは、少なくとも１つのプロセッサにより実行されると、
第１のシステムによりサービスを受けている間及びプロトコルデータユニットセッション確立または変更手順中に、ユーザ機器（１０）にて、アクセスポイント名総合最大ビットレート値を含むデフォルトのサービス品質ルールが含まれるメッセージを受信することを含み、
前記第１のシステムから第２のシステムへのシステム間変更がある場合、前記ユーザ機器にて、前記第２のシステムのセッション管理コンテキストのアクセスポイント名総合最大ビットレート値を、前記第１のシステムによりサービスを受けている間に受信した前記受信したアクセスポイント名総合最大ビットレート値に設定することを特徴とする、
動作を引き起こす、前記非一時的コンピュータ可読記憶媒体。
【手続補正２】
【補正対象書類名】明細書
【補正対象項目名】０００２
【補正方法】変更
【補正の内容】
【０００２】
５Ｇのネットワークを含むセルラーシステムは、ますます多くのデバイス及びサービスをサポートし、デバイス及びサービスには、幅広い使用事例と、帯域幅、レイテンシ、及び信頼性の要件に関する様々なニーズとを有するアプリケーションが含まれることから、セルラーシステムは、様々なサービスデータフロー（ＳＤＦ）間の差別化をサポートするように、無線アクセスネットワーク及びコアネットワーク全体でリソースに優先順位を付ける（及び／または例えば制御プレーン及びユーザプレーン全体で優先順位を付ける）必要があり得る。さらに、関連するサービス品質（ＱｏＳ）要件を動的にする必要があり得る。Ｅｒｉｃｓｓｏｎによる“Ｈａｎｄｌｉｎｇ  ｏｆ  ｍａｐｐｅｄ  ＥＰＳ  ＱｏＳ  ｐａｒａｍｅｔｅｒｓ  ｉｎ  ＩＷＫ  ｗｉｔｈ  ＥＰＣ”と題する３ＧＰＰ文書Ｓ２−１８２６７４、及びＩｎｔｅｌによる“ＱｏＳ  ｍａｐｐｉｎｇ  ｆｏｒ  ５ＧＣ−ＥＰＣ  ｉｎｔｅｒｗｏｒｋｉｎｇ”と題する３ＧＰＰ文書Ｓ２−１７４５５４は両方とも、ネットワークが５ＧのセッションＡＭＢＲとＥＰＳのＡＰＮ−ＡＭＢＲとをマッピングすることを開示する。
【国際調査報告】
2021512559.tif 000008
2021512559.tif 000009
2021512559.tif 000010